(57)【要約】      （修正有）【課題】トレイの凹部に配置するパッドが落ちてしまうことを抑制するとともに、パッドから不用意に染み出した芳香液がトレイから外部へ漏れ出しにくい構造の芳香発生装置を提供する。【解決手段】芳香発生装置１内には、圧電ポンプ３０が配置されている。圧電ポンプ３０が流出した気体は、トレイ部材２１のパッド配置用凹部２１１に配置されたパッド６０から放散した芳香成分を搬送して、気体放散口１１から外部へ放散する。パッキン７０は、パッド配置用凹部２１１内に、当該パッド配置用凹部２１１によって形成されるトレイ部材２１の内壁面とともに、パッド６０を囲むようにして配置される。パッキン７０の天板には、開口穴が形成されており、芳香成分は、当該開口穴を介して、放散される。【選択図】図６
0003177768.tif 000002
【実用新案登録請求の範囲】
【請求項１】
気体放散口と該気体放散口に連通する気体流通路とを備えた筐体と、
該筐体内に配置され、取り込んだ気体を前記気体流通路へ流出する圧電ポンプと、
該圧電ポンプから流出した気体が前記気体放散口から放散されるまでの気体流通路の途中に配置され、芳香液が充填されたパッドと、
該パッドを配置する凹部を備え、前記筐体から取り出し可能なトレイ部材と、
前記凹部の壁面とともに前記パッドを囲むように前記凹部の内側に装着されるパッキンと、を備えた芳香発生装置。
【請求項２】
前記パッキンは、
前記パッドを挟んで、前記凹部の壁面と反対側の位置に配置される平板状の天板と、
該天板から前記凹部の壁面の方向へ立設する側板と、を備え、
前記天板は、平板面の外周に沿った所定幅の部分を除くように形成された開口穴を備える、請求項１に記載の芳香発生装置。
【請求項３】
前記開口穴を覆うメッシュ状の平膜を備える、請求項２に記載の芳香発生装置。
【考案の詳細な説明】
【技術分野】
【０００１】
本発明は、芳香成分を所定領域へ放散する芳香発生装置、特に携帯が容易な薄型の芳香発生装置に関する。
【背景技術】
【０００２】
近年、気分のリフレッシュやリラックス効果のある芳香を発生させる電気機器に対する需要があり、例えば、特許文献１には、携帯可能な薄型の芳香発生装置が開示されている。特許文献１の芳香発生装置は、薄型の筐体を備える。薄型の筐体内には、気体を送出する薄型の圧電ポンプが配置されている。圧電ポンプから送出された気体は、筐体内に形成された気体流通路を通って、筐体の正面に設けられた気体放散口から外部へ放散される。
【０００３】
ここで、気体流通路の途中に、芳香成分を含む芳香液が染みこんだパッドを配置する空間を設ける。この空間は、筐体の内壁面と、筐体に装着されるトレイとによって形成されている。トレイには、所定の深さからなる凹部が形成されており、当該凹部内にパッドが配置されている。
【０００４】
気体流通路を通った気体は、パッドから放散した芳香成分を搬送して、気体放散口から外部へ芳香成分を放散させる。
【先行技術文献】
【特許文献】
【０００５】
【特許文献１】実用新案登録第３１７４２５５号公報
【考案の概要】
【考案が解決しようとする課題】
【０００６】
しかしながら、特許文献１に記載の芳香発生装置では、芳香成分を含む芳香液を染みこませたパッドを、単にトレイの凹部内に配置しているため、例えばパッドを取り替えたり、芳香液を充填する場合に、トレイを筐体から引き出した時に、トレイの開口側が下側であったりすると、パッドが落ちてしまう可能性がある。また、芳香液が多めにパッドへ充填された場合には、パッドから芳香液が不用意に染み出し、トレイから漏れてしまう可能性がある。
【０００７】
この発明の目的は、トレイの凹部に配置するパッドが落ちてしまうことを抑制するとともに、パッドから不用意に染み出した芳香液がトレイから外部へ漏れ出しにくい構造の芳香発生装置を提供することにある。
【課題を解決するための手段】
【０００８】
この発明の芳香発生装置は、次の構成を備えることを特徴としている。芳香発生装置は、気体放散口と該気体放散口に連通する気体流通路とを備えた筐体と、該筐体内に配置され取り込んだ気体を気体流通路へ流出する圧電ポンプと、該圧電ポンプから流出した気体が気体放散口から放散されるまでの気体流通路の途中に配置され芳香液が充填されたパッドと、該パッドを配置する凹部を備え筐体から取り出し可能なトレイ部材と、凹部の壁面とともにパッドを囲むように凹部の内側に装着されるパッキンと、を備える。
【０００９】
この構成では、パッキンと凹部とにより、パッドは保持されるので、凹部の開口面側が下側になっても、パッドが落ち難くなる。また、パッキンとパッドとの当接する隙間、パッキンと凹部の壁面との当接する隙間に、不要に漏れた芳香液が付着し、外部へ漏れ難くなる。
【００１０】
また、この発明の芳香発生装置は、次の構成であることが好ましい。パッキンは、パッドを挟んで、凹部の壁面と反対側の位置に配置される平板状の天板と、該天板から凹部の壁面の方向へ立設する側板と、を備える。天板は、平板面の外周に沿った所定幅の部分を除くように形成された開口穴を備える。
【００１１】
この構成では、開口穴によって、パッドに充填された芳香液の芳香成分が、より放散されやすい。
【００１２】
また、この発明の芳香発生装置では、開口穴を覆うメッシュ状の平膜を備えることが好ましい。
【００１３】
この構成では、放散性能を改善しながら、漏れをさらに抑制することができる。
【考案の効果】
【００１４】
この発明の芳香発生装置を用いれば、トレイの凹部に配置するパッドが落ちてしまうことを抑制でき、パッドから不用意に染み出した芳香液がトレイから外部へ漏れ出すことも抑制できる。
【図面の簡単な説明】
【００１５】
【図１】本考案の実施形態に係る芳香発生装置の平面図である。
【図２】本考案の実施形態に係る芳香発生装置の底面図である。
【図３】本考案の実施形態に係る芳香発生装置の正面図である。
【図４】本考案の実施形態に係る芳香発生装置の左側面図である。
【図５】本考案の実施形態に係る芳香発生装置の右側面図である。
【図６】芳香発生装置の各構成要素の配置図および断面図である。
【図７】トレイ部材の平面図および側面断面図である。
【図８】パッキンの平面図、短手方向側面図、および長手方向側面図である。
【図９】他の数種類のパッキンを示す平面図、短手方向側面図、および長手方向側面図である。
【図１０】他の数種類のパッキンを示す平面図、短手方向側面図、および長手方向側面図である。
【図１１】他の数種類のパッキンを示す平面図、短手方向側面図、および長手方向側面図である。
【図１２】他の数種類のパッキンを示す平面図、短手方向側面図、および長手方向側面図である。
【考案を実施するための形態】
【００１６】
本考案の実施形態に係る芳香発生装置について、図を参照して説明する。図１は本考案の実施形態に係る芳香発生装置１の平面図である。図２は本考案の実施形態に係る芳香発生装置１の底面図である。図３は本考案の実施形態に係る芳香発生装置１の正面図である。図４は本考案の実施形態に係る芳香発生装置１の左側面図である。図５は本考案の実施形態に係る芳香発生装置１の右側面図である。図６は、芳香発生装置の各構成要素の配置図および断面図である。図７（Ａ）はトレイ部材２１の平面図であり、図７（Ｂ）はトレイ部材２１の側面断面図である。図７（Ｂ）は、図７（Ａ）のＣ−Ｃ’断面を示す図である。
【００１７】
芳香発生装置１は、上側筐体１０、下側筐体２０、トレイ部材２１、電池用蓋２２を備える。
【００１８】
上側筐体１０は、図１、図６に示すように、天面壁１０Ａと外周壁１０Ｂとを備える。天面壁１０Ａは、平面視した形状が略矩形状の平板からなる。天面壁１０Ａの平面視した角部は、曲線状に面取りされた形状からなる。外周壁１０Ｂは、天面壁１０Ａの外周に沿って、全周に亘り形成されている。外周壁１０Ｂは、天面壁１０Ａの平板面に対して直交する方向に延びる形状で形成されている。外周壁１０Ｂは全周に亘り略同じ高さで形成されている。このように構造により、上側筐体１０は、所定の高さを有する箱形で、且つ底面側が開口する形状からなる。
【００１９】
上側筐体１０は、さらに、図６に示すように、内部壁１６，１７，１８を備える。内部壁１６，１７，１８は、天面壁１０Ａの底面側から突出する形状からなり、それぞれが適宜所定高さで形成されている。内部壁１６，１７，１８は、天面壁１０Ａの短手方向に沿って延びる形状からなる。内部壁１６，１７，１８は、天面壁１０Ａの長手方向に沿って、それぞれ適宜間隔をおいて形成されている。このような内部壁１６，１７，１８によって、上側筐体１０の底面側には、所定の深さ（高さ）からなる上側第１凹部１１０、上側第２凹部１２０、上側第３凹部１３０、および上側第４凹部１４０が形成される。これらの凹部は、上側筐体１０の長手方向に沿って配列形成されており、長手方向の一方端から、上側第２凹部１２０、上側第１凹部１１０、上側第３凹部１３０、上側第４凹部１４０の順に形成されている。この際、上側第２凹部１２０は、上側筐体１０の長手方向の寸法よりも上側筐体１０の短手方向の寸法が長くなるように、形成されている。
【００２０】
また、図１に示すように、上側筐体１０の天面壁１０Ａには、複数の気体放散口１１とスイッチボタン用の貫通穴１５が形成されている。なお、気体放散口は１つの吸い込み口と略同一面積になっている。気体放散口１１は、天面壁１０Ａを垂直に貫通して上側第１凹部１１０につながるように形成されている。貫通穴１５は、上側第３凹部１３０につながるように形成されている。
【００２１】
貫通穴１５には、ボタン部材１４が挿嵌されている。ボタン部材１４は、上側筐体１０を側面視して、当該上側筐体１０の天面壁の表面から部分的に突出するように配置されている。なお、ボタン部材１４が突出しないようにしてもよい。
【００２２】
図１、図３に示すように、上側筐体１０の天面壁１０Ａと側面壁１０Ｂの所定領域には、溝１２が形成されている。より具体的には、溝１２は、天面壁における貫通穴１５の形成領域を含み、気体放散口１１を含まない領域に形成されている。溝１２には化粧パーツ１３が配置されている。化粧パーツ１３は、溝１２に収まる形状で配設されている。化粧パーツ１３は、溝１２に対して着脱可能に取り付けられている。
【００２３】
下側筐体２０は、図２、図３に示すように、底面壁２０Ａと外周壁２０Ｂ，２０Ｃとを備える。底面壁２０Ａは、平面視した形状が略矩形状の平板からなる。外周壁２０Ｂ，２０Ｄは、底面壁２０Ａの平板面に対して直交する方向に延びる形状で形成されている。外周壁２０Ｂは、底面壁２０Ａの長手方向に沿った両辺に形成されている。外周壁２０Ｄは、底面壁２０Ａの短手方向に沿った一方の辺に形成されている。この辺は、上側筐体１０を下側筐体２０組み合わせた状態で、上側筐体１０の内部壁１８の形成位置に対向する。外周壁２０Ｄと内部壁１８はかみ合うことにより、上側筺体１０と下側筺体２０が離脱しないようなツメ構造になっている。底面壁２０Ａの短手方向に沿った他方の辺には、外周壁は形成されていない。この辺は、上側筐体１０の内部壁１６が当接する。
【００２４】
これら下側筐体２０の底面壁２０Ａと外周壁２０Ｂ，２０Ｄによって、図６に示すように、下側第１凹部２０１が形成されている。
【００２５】
下側筐体２０の底面壁２０Ａには、図２に示すように、気体吸入孔２００が形成されている。気体吸入孔２００は、下側筐体２０の底面壁２０Ａを貫通するように形成されている。
【００２６】
下側筐体２０の内部壁２０Ｃは、底面壁２０Ａの天面側から突出する形状からなり、所定高さで形成されている。内部壁２０Ｃは、底面壁２０Ａの短手方向に沿って延びる形状からなる。内部壁２０Ｃは、図６に示すように、上側筐体１０と下側筐体２０とを組み合わせた時に上側筐体１０の内部壁１７に対向する位置に、形成されている。
【００２７】
このような形状の上側筐体１０と下側筐体２０とを組み合わせる。この際、図６に示すように、上側筐体の長手方向に沿った外周壁１０Ｂと下側筐体２０の外周壁２０Ｂとを当接させ、上側筐体１０の内部壁１８と下側筐体２０の外周壁２０Ｄと先端同士を当接させる。また、上側筐体１０の内部壁１６の先端を下側筐体２０の外周壁２０Ｄと反対側の辺に当接させる。このような構成により、上側第１凹部１１０と下側第１凹部２０１とによる第１内部空間が構成される。また、上側第３凹部１３０と下側第１凹部２０１とによる第３内部空間が構成される。
【００２８】
なお、上側筐体１０と下側筐体２０は、ネジ止めによって固定されている。ネジ止め部は、上側筐体１０における電池用蓋２２に対向する領域に設けられている。このようなネジ止めを行うことで、上側筐体１０と下側筐体２０が強固に固定される。
【００２９】
トレイ部材２１は、図２、図３、図４、図６、図７に示すように、底面壁２１Ａと外周壁２１Ｂとを備える。底面壁２１Ａは、平面視した形状が略矩形状の平板からなり、上側筐体１０の上側第２凹部１２０を覆う形状で形成されている。外周壁２１Ｂは、底面壁２１Ａの平板面に対して直交する方向に延びる形状で形成されている。外周壁２１Ｂは、底面壁２１Ａの外周辺に沿って形成されている。このような構造により、トレイ部材２１には、パッド配置用凹部２１１が形成される。なお、パッド配置用凹部２１１は、平面視して、上側筐体１０の上側第２凹部１２０と略同じ形状に形成されている。パッド配置用凹部２１１には、パッド６０は配置されている。パッド６０には、芳香成分を含む芳香液が染みこんでいる。
【００３０】
さらに、具体的な構成は後述するが、パッド配置用凹部２１１にはパッキン７０が配置されている。パッキン７０は、パッド配置用凹部２１１によってできるトレイ部材２１の内壁面（本発明の「凹部の壁面」に相当する。）とパッキン７０とによって、パッド６０を囲むように配置されている。
【００３１】
トレイ部材２１を平面視した長手方向の両端には、それぞれ係合用のアーム部材２１３が形成されている。アーム部材２１３は、トレイ部材２１の長手方向に直交する方向、すなわちトレイ部材２１の短手方向に平行な方向に延びる形状で形成されている。アーム部材２１３は、トレイ部材２１の短手方向の一方端から突出する形状で形成されている。アーム部材２１３は棒状であり、先端には係合用凸部２１４が形成されている。また、アーム部材２１３の延びる方向の中間の所定位置には、係合用凸部２１５が形成されている。係合用凸部２１４，２１５は、アーム部材２１３からトレイ部材２１の長手方向の外側に向かって突出する形状からなる。
【００３２】
このような形状からなるトレイ部材２１を上側筐体１０に組み合わせる。この際、トレイ部材２１は、アーム部材２１３が突出していない長手方向に沿った外周壁２１Ｂの先端が、上側筐体１０の外周壁１０Ｂの先端に当接するように、組み合わせられる。言い換えれば、上側第２凹部１２０とパッド配置用凹部２１１とが平面視して重なり合うように、組み合わせられる。なお、トレイ部材２１は、具体的な構造は後述する下側筐体２０の係合用凹部２０４に係合用凸部２１４を係合させることによって、下側筐体２０に固定される。
【００３３】
このような構成により、上側第２凹部１２０とパッド配置用凹部２１１とによる第２内部空間が構成される。
【００３４】
さらに、トレイ部材２１は、下側筐体２０に固定された状態で、トレイ部材２１の裏面（底面壁２１Ａの表面）と下側筐体２０の裏面（底面壁２０Ａの表面）とが同一平面上になるように係合する形状で形成されている。これにより、下側筐体の裏面とトレイ部材２１の裏面との境界で段差ができず、裏面が平坦になる。なお、トレイ部材２１の裏面に、凹部を設けることで、トレイ部材２１を引き出しやすくすることもできる。
【００３５】
電池用蓋２２は、図２、図３、図５に示すように、底面壁２２Ａと外周壁２２Ｂとを備える。底面壁２２Ａは、平面視した形状が略矩形状の平板からなり、上側筐体１０の上側第４凹部１４０を覆う形状で形成されている。外周壁２２Ｂは、底面壁２２Ａの平板面に対して直交する方向に延びる形状で形成されている。外周壁２２Ｂは、底面壁２０Ａの外周辺に沿った三辺に形成されている。なお、電池用蓋２２が下側筐体２０に係合した状態で、下側筐体２０側となる位置には、外周壁は形成されていない。電池用蓋２２は、下側筐体２０に対して係合する形状で形成されている。この際、電池用蓋２２の底面壁２２Ａの表面と下側筐体２０の底面壁２０Ａの表面とが同一平面で係合するように電池用蓋２２が形成されている。
【００３６】
このような形状からなる電池用蓋２２を上側筐体１０に組み合わせる。この際、電池用蓋２２は、外周壁２２Ｂの先端が、上側筐体１０の外周壁１０Ｂの先端に当接するように、組み合わせられる。この構成により、上側第４凹部１４０と電池用蓋２２とによる第４内部空間が構成される。
【００３７】
上側筐体１０と下側筐体２０に挟まれる第１内部空間には、圧電ポンプ３０が配置されている。圧電ポンプ３０は、弾性接着部材３１を介して第１内部空間を構成する上側筐体１０の上側第１凹部１１０表面に貼り付けられている。
【００３８】
圧電ポンプ３０は、圧電ポンプ３０の筐体３１０の平板面（ノズル３１２が突出する面）と、上側筐体１０の天面壁とが略平行になるように第１内部空間内に配置される。さらに、圧電ポンプ３０の気体流出孔３００が、上側筐体１０側になるように、第１内部空間内に配置される。
【００３９】
上側第３凹部１３０と下側第１凹部２０１とで形成された第３内部空間には、制御用基板４０が配置されている。また、制御用基板４０は、平板面が、上側筐体１０の天面壁１０Ａに略平行になるように配置されている。この際、第３内部空間の平面視した形状は、制御基板４０の平面形状と略同じ平面形状および面積で形成されている。これにより、上側筐体１０と下側筐体２０とによる筐体内に制御基板４０を収容するためのスペースを、最小限にすることができる。制御用基板４０は図示しない配線部材によって、圧電ポンプ３０に接続されている。
【００４０】
上側筐体１０の上側第２凹部１２０とトレイ部材２１のパッド配置用凹部２１１とが向かい合うように組み合わせられている。この際、上側筐体１０の外周壁１０Ｂ、および上側第１凹部１１０と上側第２凹部１２０とを区切る内部壁１８と、トレイ部材２１の外周壁２１Ｂとが当接するように組み合わせる。上側筐体１０の上側第２凹部１２０とトレイ部材２１のパッド配置用凹部２１１とによって、芳香成分保持空間となる第２内部空間が形成される。この際、第２内部空間の平面視した形状は、上側第２凹部１２０およびパッド配置用凹部２１１の平面形状と略同じ平面形状および面積で形成されている。これにより、上側筐体１０と下側筐体２０とによる筐体内にパッド６０を収容するためのスペースを、最小限にすることができる。
【００４１】
上側筐体１０の上側第４凹部１４０と電池用蓋２２による凹部（外周壁２２Ｂで囲まれる領域）とが向かい合うように組み合わせられている。この際、上側筐体１０の外周壁１０Ｂと電池用蓋２２の外周壁２２Ｂとが当接するように、上側第３凹部１３０と上側第４凹部１４０とを区切る内部壁１６が電池用蓋２２の底面壁２２Ａの外周壁のない辺に当接するように、組み合わせる。これにより、上側筐体１０と電池用蓋２２との間には、電池保持空間が形成される。この際、第４内部空間の平面視した形状は、ボタン電池５０の平面形状と略同じ平面形状および面積で形成されている。これにより、上側筐体１０と下側筐体２０とによる筐体内にボタン電池５０を収容するためのスペースを、最小限にすることができる。
【００４２】
このように形成される電池保持空間には、ボタン電池５０が配置される。この際、ボタン電池５０は、電池の厚み方向と、第４内部空間の高さ方向とが略一致するようにして、配置される。ボタン電池５０は、接続部材によって、制御用基板４０に接続されている。
【００４３】
このように、本実施形態の芳香発生装置１では、圧電ポンプ３０と、芳香成分が染みこんだパッド６０とが、芳香発生装置１を平面視した状態で隣り合って配置される。さらには、圧電ポンプ３０に駆動電圧を与える制御用基板４０およびボタン電池５０のそれぞれも、芳香発生装置１を平面視した状態で隣り合って配置される。すなわち、本実施形態の芳香発生装置１では、パッド６０、圧電ポンプ３０、制御基板４０、ボタン電池５０が、芳香発生装置１の筐体（上側筐体１０と下側筐体２０）の長手方向に沿って、順に並ぶ構造を有する。そして、パッド６０、圧電ポンプ３０、制御基板４０、ボタン電池５０のそれぞれが、筐体（上側筐体１０と下側筐体２０）の厚み方向に沿って薄い構造であるので、芳香発生装置１自体を薄くすることができる。
【００４４】
このような構造の芳香発生装置１では、上述の各部品の構成から次に示す気体流通路の構造を実現することにより、パッド６０に染みこませた芳香成分を、上側筐体１０の気体放散口１１から外部へ放散させることができる。
【００４５】
図６に示すように、上側筐体１０の上側第１凹部１１０には、第１気体流通溝１１１および第２気体流通溝１１３が形成されている。第１気体流通溝１１１による第１気体流通路、および第２気体流通溝１１３による第２気体流通路は、所定の幅および所定の深さで形成されている。
【００４６】
第１気体流通路は、一方端がノズル３１２（気体流出孔３００）の配置される位置を含む所定範囲を含み、他方端が第２内部空間に連通するように、形成されている。第２気体流通路は、一方端が第２内部空間に連通し、他方端が気体放散口１１に連通するように、形成されている。
【００４７】
このような構造において、スイッチを押して、圧電ポンプ３０を駆動すると、圧電ポンプ３０の気体流出孔３００から気体を送出する。圧電ポンプ３０から送出された気体は、第１気体流通路を経由して第２内部空間内に導かれる。第２内部空間内に配置されたパッド６０に染みこませた芳香成分は、パッド表面から拡散して第２内部空間内に充満している。
【００４８】
このような状態の第２内部空間内に、第１気体流通路から気体が送入されると、当該気体の流れに乗って、芳香成分が第２気体流通路へ送出される。
【００４９】
第２気体流通路に送入された芳香成分を含む気体は、第２気体流通路を経由して、気体放散口１１に導かれる。気体放散口１１に導かれた芳香成分を含む気体は、気体放散口１１から芳香発生装置１の正面側外部へ放散される。
【００５０】
このような構成により、薄型の圧電ポンプ３０から芳香成分発生装置１の厚み方向に送出された気体は、芳香成分発生装置１の第１主平面に平行な方向に搬送されながら、芳香成分を搬送し、芳香成分発生装置１の表面の気体放散口１１から外部へ放散される。これにより、芳香成分の放散効果を十分に得ながら、芳香発生装置を薄型にすることができる。
【００５１】
次に、トレイ部材２１のパッド配置用凹部２１１に対するパッド６０およびパッキン７０の配置態様について、より具体的に説明する。図８（Ａ）はパッキン７０の平面図であり、図８（Ｂ）はパッキン７０の短手方向側面図であり、図８（Ｃ）はパッキン７０の長手方向側面図である。
【００５２】
パッキン７０は、天板７０１および側板７０２を備える。パッキン７０は、樹脂等からなる所定の弾性を有する材料によって形成されている。
【００５３】
天板７０１は、パッド配置用凹部２１１の開口面積と略同じ面積からなる平板からなる。天板７０１は開口穴７１０を備える。開口穴７１０は、天板７０１の外周に沿った所定幅の部分を残して中央が開口する形状で形成されている。
【００５４】
側板７０２は、天板７０１の平板面に直交する方向へ立設する形状で形成されている。側板７０２の高さは、パッド配置用凹部２１１の深さから天板７０１の厚みを減算した程度である。側板７０２は、天板７０１の長手方向の両端の外辺に沿って所定長さで形成されている。側板７０２は、天板７０１の平板面の角部付近にのみ形成されている。
【００５５】
パッキン７０は、天板７０１、各側板７０２によって形成される空間が、パッド６０の外形形状と略一致する形状で形成されている。
【００５６】
このような形状のパッキン７０をパッド配置用凹部２１１に装着すると、パッキン７０の天板７０１がパッド６０におけるパッド配置用凹部２１１に当接する面と反対側の面に接する。パッキン７０の各側板７０２の内側の面はパッド６０の側面に当接する。さらに、パッキン７０の各側板７０２外側の面は、パッド配置用凹部２１１によって形成されるトレイ部材２１の内壁面に当接する。
【００５７】
これにより、パッド６０は、パッド配置用凹部２１１によって形成されるトレイ部材２１の内壁面とパッキン７０とによって外部から囲まれるように保持される。この際、開口穴７１０が設けられていることで、パッド６０に充填された芳香成分は、第２内部空間内に放散される。すなわち、上述の芳香成分の放散作用を殆ど妨げることはない。
【００５８】
また、このような形状のパッキン７０を用いることにより、パッキン７０は、パッド配置用凹部２１１に嵌り、外れにくくなる。そして、パッド６０は、パッド配置用凹部２１１によって形成されるトレイ部材２１の内壁面とパッキン７０とに囲まれる空間内に配置されるので、パッド配置用凹部２１１の外部へ外れにくくなる。
【００５９】
これにより、例えば、トレイ部材２１のパッド配置用凹部２１１の開口面側が下側になっても、パッド６０が落下することを抑制できる。
【００６０】
また、パッキン７０がパッド６０の各面に当接していることにより、パッド６０に多めに芳香液を充填してしまい、パッド６０から芳香液が漏れても、パッキン７０とパッド６０との当接面の極薄い隙間や、パッキン７０とトレイ部材２１の内壁面との極薄い隙間に付着し、外部へ漏れにくい。
【００６１】
このように、本実施形態の構成を用いれば、トレイの凹部に配置するパッドが落ちてしまうことを抑制でき、パッドから不用意に染み出した芳香液がトレイから外部へ漏れ出すことも抑制できる。
【００６２】
なお、上述のパッキンの構造は一例であり、次に示すような構造のパッキンを用いることもできる。図９から図１２は、他の数種類のパッキンを示す平面図、短手方向側面図、および長手方向側面図である。
【００６３】
図９に示すパッキン７０Ａは、図８に示したパッキン７０に対して、開口穴７１０を覆うメッシュ膜７２０を備える。このような構成とすることで、パッド６０から漏れる芳香液が、メッシュ膜７２０とパッド６０との接触部に付着する。これにより、芳香液がさらに漏れ出しにくい芳香発生装置を実現することができる。
【００６４】
また、メッシュ膜７２０を採用することで、パッド６０の代わりに香り成分を含むメッシュ膜より粒径の大きなボールをや香木、お香等入れても同様に使用できる。この場合、香りがなくなったら、パッキン７０Ａを取り外し、香材を入れ替えて使うようにもできる。
【００６５】
図１０に示すパッキン７０Ｂは、図８に示したパッキン７０に対して、側板７０２Ｂの構造が異なる。側板７０２Ｂは、天板７０１の短手方向に沿った外辺の全長に亘って形成されている。なお、天板７０１の長手方向に沿った外辺の全長に亘って、側板を形成する構造であってもよい。
【００６６】
図１１に示すパッキン７０Ｃは、図８に示したパッキン７０に対して、側板７０２Ｃの構造が異なる。側板７０２Ｃは、天板７０１の外辺の全周に沿って形成されている。なお、全周に沿って形成される側板の一部のみを切り欠く形状であってもよい。
【００６７】
図１２に示すパッキン７０Ｄは、図８に示したパッキン７０に対して、天板７０１Ｄの形状、および、これに伴う開口穴７１０Ｄの形状が異なる。パッキン７０Ｄは、天板７１０Ｄにおける短手方向に沿った肉部の幅が部分的に狭くなっている。これにより、パッキン７０よりも広い開口穴７１０Ｄを形成することができる。このように、天板の肉部の幅は、一定である必要はなく、適宜設定すればよい。
【００６８】
なお、図９から図１２の構造も、本発明の作用効果を実現するパッキンの構造の数例を示すものであり、これらを組み合わせた構造を用いてもよい。また、メッシュ膜７２０に代えて、異方性膜を用いてもよい。異方性膜としては、パッキンの外部からパッド６０側に向かう方向に対しては、気体のみでなく粒径の比較的大きな水分をも透過し、パッド６０側から外部に向かう方向に対しては、芳香成分のような粒径の小さな気体のみを通過するものを用いればよい。
【符号の説明】
【００６９】
１：芳香成分発生装置、
１０：上側筐体、
１０Ａ：天面壁、
１０Ｂ：外周壁、
１１：気体放散口、
１２：溝、
１３：化粧パーツ、
１４：ボタン部材、
１５：貫通穴、
１６，１７，１８，２０Ｃ：内部壁、
２０：下側筐体、
２０Ａ，２１Ａ，２２Ａ：底面壁、
２０Ｂ，２０Ｄ，２１Ｂ，２２Ｂ：外周壁、
２１：トレイ部材、
２２：電池用蓋、
３０：圧電ポンプ、
３１：弾性接着部材、
３２：開口部、
４０：制御用基板、
５０：ボタン電池、
６０：パッド、
７０、７０Ａ，７０Ｂ，７０Ｃ，７０Ｄ：パッキン、
１１０：上側第１凹部、１２０：上側第２凹部、１３０：上側第３凹部、１４０：上側第４凹部、
１１１：第１気体流通溝、
１１３：第２気体流通溝、
２００：気体吸入孔、
２０１：下側第１凹部、
２０３：側面壁、
２０４：係合用凹部、
２１１：パッド配置用凹部、
２１３：アーム部材、
２１４，２１５：係合用凸部、
３００：気体流出孔、
３６０：気体流入穴、
７０１，７０１Ｄ：天板、
７０２、７０２Ｂ，７０２Ｃ：側板、
７１０，７１０Ｄ：開口穴、
７２０：メッシュ膜
【図１】
0003177768.tif 000003
【図２】
0003177768.tif 000004
【図３】
0003177768.tif 000005
【図４】
0003177768.tif 000006
【図５】
0003177768.tif 000007
【図６】
0003177768.tif 000008
【図７】
0003177768.tif 000009
【図８】
0003177768.tif 000010
【図９】
0003177768.tif 000011
【図１０】
0003177768.tif 000012
【図１１】
0003177768.tif 000013
【図１２】
0003177768.tif 000014